(57)【特許請求の範囲】
【請求項１】
移動通信網を介してデータ通信を行う移動端末であって、
前記移動通信網とのデータ通信を行うためのデータ通信接続の確立を制御するデータ通信接続確立手段と、
前記データ通信接続の切断を制御するデータ通信接続切断手段と、
前記移動通信網との無線接続の確立を制御する無線接続確立手段と、
前記無線接続の切断を制御する無線接続切断手段と、
データ通信に係る課金のための課金時間を記憶する課金時間記憶手段と、
前記データ通信接続確立手段においてデータ通信接続が確立された時であるデータ通信接続確立時から、前記データ通信接続切断手段においてデータ通信接続が切断された時であるデータ通信接続切断時までの時間、または、前記無線接続確立手段において無線接続が確立された時である無線接続確立時から、前記無線接続切断手段において無線接続が切断された時である無線接続切断時までの時間を前記課金時間として前記課金時間記憶手段に記憶させる課金時間計測手段と、
前記課金時間記憶手段を参照し、前記課金時間に関する情報を表示する表示手段と、を備え、
前記データ通信接続切断手段は、前記データ通信接続の切断を移動通信網に要求するデータ通信切断要求の送信、及び該データ通信切断要求に応じて前記移動通信網から返信されたデータ通信切断応答の受信をし、
前記課金時間計測手段は、前記データ通信接続切断手段が、前記データ通信切断応答を受信した時を前記データ通信接続切断時とする、
ことを特徴とする移動端末。
【請求項２】
移動通信網を介してデータ通信を行う移動端末であって、
前記移動通信網とのデータ通信を行うためのデータ通信接続の確立を制御するデータ通信接続確立手段と、
前記データ通信接続の切断を制御するデータ通信接続切断手段と、
前記移動通信網との無線接続の確立を制御する無線接続確立手段と、
前記無線接続の切断を制御する無線接続切断手段と、
データ通信に係る課金のための課金時間を記憶する課金時間記憶手段と、
前記データ通信接続確立手段においてデータ通信接続が確立された時であるデータ通信接続確立時から、前記データ通信接続切断手段においてデータ通信接続が切断された時であるデータ通信接続切断時までの時間、または、前記無線接続確立手段において無線接続が確立された時である無線接続確立時から、前記無線接続切断手段において無線接続が切断された時である無線接続切断時までの時間を前記課金時間として前記課金時間記憶手段に記憶させる課金時間計測手段と、
前記課金時間記憶手段を参照し、前記課金時間に関する情報を表示する表示手段と、
前記移動通信網において計測された課金時間に関する課金時間情報を該移動通信網から受信する課金時間情報受信手段と、
前記課金時間情報受信手段により受信された課金時間情報に基づき、前記課金時間記憶手段に記憶された課金時間を修正する課金時間修正手段と、
を備えることを特徴とする移動端末。
【請求項３】
前記データ通信接続確立手段は、該データ通信接続確立手段が前記移動通信網に対して送信したデータ通信接続要求に応じて該移動通信網から返信されたデータ通信接続応答を受信し、
前記無線接続確立手段は、該無線接続確立手段が前記移動通信網に送信した無線接続確立要求に応じた該移動通信網からの無線接続確立応答を受信したときに、無線接続が確立された旨の通知である無線接続確立通知を該移動通信網に送信し、
前記課金時間計測手段は、前記データ通信接続確立手段が前記データ通信接続応答を受信した時を前記データ通信接続確立時とし、前記無線接続確立手段が前記無線接続確立通知を送信した時を前記無線接続確立時とする
ことを特徴とする請求項１または２に記載の移動端末。
【請求項４】
前記データ通信接続切断手段は、移動通信網からのデータ通信接続の切断の要求であるデータ通信切断要求の受信、及び該データ通信切断要求に応答する通知であるデータ通信切断応答の移動通信網に対する送信をし、
前記課金時間計測手段は、前記データ通信接続切断手段が、前記データ通信切断要求を受信した時、または前記データ通信切断応答を送信した時を前記データ通信接続切断時とする
ことを特徴とする請求項１または２に記載の移動端末。
【請求項５】
前記無線接続切断手段は、前記移動通信網からの前記無線接続の切断を要求する通知である無線接続切断要求の受信、及び該無線接続切断要求に応じて前記無線接続の切断制御を完了した旨の通知である無線接続切断応答の移動通信網への送信をし、
前記課金時間計測手段は、前記無線接続切断手段が、前記無線接続切断要求を受信した時、または前記無線接続切断応答を送信した時を前記無線接続切断時とする
ことを特徴とする請求項１または２に記載の移動端末。
【請求項６】
移動通信網を介してデータ通信を行う移動端末における課金時間計測方法であって、
前記移動通信網とのデータ通信を行うためのデータ通信接続の確立を制御するデータ通信接続確立ステップと、
前記移動通信網との無線接続の確立を制御する無線接続確立ステップと、
前記データ通信接続確立ステップにおいてデータ通信接続が確立された時であるデータ通信接続確立時、または前記無線接続確立ステップにおいて無線接続が確立された時である無線接続確立時にデータ通信に係る課金のための課金時間の計測を開始する課金時間計測開始ステップと、
前記データ通信接続の切断を制御するデータ通信接続切断ステップと、
前記無線接続の切断を制御する無線接続切断ステップと、
前記データ通信接続切断ステップにおいてデータ通信接続が切断された時であるデータ通信接続切断時、または前記無線接続切断ステップにおいて無線接続が切断された時である無線接続切断時に前記課金時間の計測を終了する課金時間計測終了ステップと、
前記課金時間計測開始ステップにおいて課金時間の計測が開始された時から、前記課金時間計測終了ステップにおいて課金時間の計測が終了された時までの時間を課金時間として記憶する課金時間記憶ステップと、
前記課金時間記憶ステップにおいて記憶された前記課金時間に関する情報を表示する表示ステップと、を有し、
前記データ通信接続切断ステップにおいて、前記データ通信接続の切断を移動通信網に要求するデータ通信切断要求の送信、及び該データ通信切断要求に応じて前記移動通信網から返信されたデータ通信切断応答の受信をし、
前記課金時間計測終了ステップにおいて、前記データ通信接続切断ステップにおいて前記データ通信切断応答を受信した時を前記データ通信接続切断時とする、
ことを特徴とする課金時間計測方法。
【請求項７】
移動通信網を介してデータ通信を行う移動端末における課金時間計測方法であって、
前記移動通信網とのデータ通信を行うためのデータ通信接続の確立を制御するデータ通信接続確立ステップと、
前記移動通信網との無線接続の確立を制御する無線接続確立ステップと、
前記データ通信接続確立ステップにおいてデータ通信接続が確立された時であるデータ通信接続確立時、または前記無線接続確立ステップにおいて無線接続が確立された時である無線接続確立時にデータ通信に係る課金のための課金時間の計測を開始する課金時間計測開始ステップと、
前記データ通信接続の切断を制御するデータ通信接続切断ステップと、
前記無線接続の切断を制御する無線接続切断ステップと、
前記データ通信接続切断ステップにおいてデータ通信接続が切断された時であるデータ通信接続切断時、または前記無線接続切断ステップにおいて無線接続が切断された時である無線接続切断時に前記課金時間の計測を終了する課金時間計測終了ステップと、
前記課金時間計測開始ステップにおいて課金時間の計測が開始された時から、前記課金時間計測終了ステップにおいて課金時間の計測が終了された時までの時間を課金時間として記憶する課金時間記憶ステップと、
前記課金時間記憶ステップにおいて記憶された前記課金時間に関する情報を表示する表示ステップと、
前記移動通信網において計測された課金時間に関する課金時間情報を該移動通信網から受信する課金時間情報受信ステップと、
前記課金時間情報受信ステップにおいて受信された課金時間情報に基づき、前記記憶された課金時間を修正する課金時間修正ステップと、
を有することを特徴とする課金時間計測方法。
【発明の詳細な説明】
【技術分野】
【０００１】
本発明は、移動通信網を介してデータ通信を行う移動端末及び課金時間計測方法に関する。
【背景技術】
【０００２】
移動端末によるデータ通信に対する課金の方法の一つとして、実際に実施された通信に対して課金する従量型の課金方法がある。従量課金では、例えば、データ通信におけるデータ量、通信時間に従って課金される。例えば、データ通信時間を算出して、算出された通信時間に対して課金処理を行う方法が知られている（例えば、特許文献１参照）。
【先行技術文献】
【特許文献】
【０００３】
【特許文献１】特開２００１−２３７９９０号公報
【発明の概要】
【発明が解決しようとする課題】
【０００４】
近年、従量課金において、いわゆるプリペイド型の課金が検討されている。プリペイド型の課金は、予め所定通信量相当の通信料金を前払いし、実際に実施した通信量が当該所定通信量に達するまで通信が可能となる課金方式である。従って、プリペイド課金では、その移動端末のユーザにおいて、データ通信可能な残時間、またはデータ通信量における残量を把握したいといった要請がある。しかしながら、データ通信を実施する際のセッションや無線接続の確立及び切断は、基地局等を含むネットワーク側で管理されるため、正確な通信量及び通信時間等の情報は、ネットワーク側において保持される。従って、移動端末は、ネットワークに対して問い合わせを行わなければ、正確な通信時間及び通信量といった情報を得られない。一方、この問い合わせのために、無線通信やネットワークのリソースが費やされることは好ましくない。
【０００５】
そこで、本発明は、上記問題点に鑑みてなされたものであり、通信時間に対してのプリペイド課金の場合に、ネットワークへの問い合わせを行うことなく、課金される通信時間に関する情報を認識可能な移動端末及び課金時間計測方法を提供することを目的とする。
【課題を解決するための手段】
【０００６】
上記課題を解決するために、本発明の移動端末は、移動通信網を介してデータ通信を行う移動端末であって、移動通信網とのデータ通信を行うためのデータ通信接続の確立を制御するデータ通信接続確立手段と、データ通信接続の切断を制御するデータ通信接続切断手段と、移動通信網との無線接続の確立を制御する無線接続確立手段と、無線接続の切断を制御する無線接続切断手段と、データ通信に係る課金のための課金時間を記憶する課金時間記憶手段と、データ通信接続確立手段においてデータ通信接続が確立された時であるデータ通信接続確立時から、データ通信接続切断手段においてデータ通信接続が切断された時であるデータ通信接続切断時までの時間、または、無線接続確立手段において無線接続が確立された時である無線接続確立時から、無線接続切断手段において無線接続が切断された時である無線接続切断時までの時間を課金時間として課金時間記憶手段に記憶させる課金時間計測手段と、課金時間記憶手段を参照し、課金時間に関する情報を表示する表示手段と、を備え、データ通信接続切断手段は、データ通信接続の切断を移動通信網に要求するデータ通信切断要求の送信、及び該データ通信切断要求に応じて移動通信網から返信されたデータ通信切断応答の受信をし、課金時間計測手段は、データ通信接続切断手段が、データ通信切断応答を受信した時をデータ通信接続切断時とすることを特徴とする。
【０００７】
また、上記課題を解決するために、本発明の課金時間計測方法は、移動通信網を介してデータ通信を行う移動端末における課金時間計測方法であって、前記移動通信網とのデータ通信を行うためのデータ通信接続の確立を制御するデータ通信接続確立ステップと、前記移動通信網との無線接続の確立を制御する無線接続確立ステップと、前記データ通信接続確立ステップにおいてデータ通信接続が確立された時であるデータ通信接続確立時、または前記無線接続確立ステップにおいて無線接続が確立された時である無線接続確立時にデータ通信に係る課金のための課金時間の計測を開始する課金時間計測開始ステップと、前記データ通信接続の切断を制御するデータ通信接続切断ステップと、前記無線接続の切断を制御する無線接続切断ステップと、前記データ通信接続切断ステップにおいてデータ通信接続が切断された時であるデータ通信接続切断時、または前記無線接続切断ステップにおいて無線接続が切断された時である無線接続切断時に前記課金時間の計測を終了する課金時間計測終了ステップと、前記課金時間計測開始ステップにおいて課金時間の計測が開始された時から、前記課金時間計測終了ステップにおいて課金時間の計測が終了された時までの時間を課金時間として記憶する課金時間記憶ステップと、前記課金時間記憶ステップにおいて記憶された前記課金時間に関する情報を表示する表示ステップと、を有し、データ通信接続切断ステップにおいて、データ通信接続の切断を移動通信網に要求するデータ通信切断要求の送信、及び該データ通信切断要求に応じて移動通信網から返信されたデータ通信切断応答の受信をし、課金時間計測終了ステップにおいて、データ通信接続切断ステップにおいてデータ通信切断応答を受信した時をデータ通信接続切断時とする、ことを特徴とする。
【０００８】
本発明の移動端末及び課金時間計測方法によれば、データ通信接続が確立された時から切断されるまでの時間が課金時間として計測されるので、当該移動端末が移動通信網におけるネットワークリソースを利用している時間が課金時間として計測される。また、本発明では、無線接続が確立された時から切断されるまでの時間が課金時間として計測されることとしてもよい。この場合には、実際にデータの送受信が実施されている時間が課金時間として計測されることとなる。そして、上記のように計測された課金時間に関する情報が移動端末において記憶及び表示されるので、基地局等を含む移動通信網への問い合わせを実施することなく、移動端末において課金時間に関する情報を認識可能となる。
また、上記構成によれば、データ通信切断応答を受信した時が課金時間の計測の終了時とされるので、移動通信網側において、課金時間の計測が確実に終了した後に課金時間の計測を終了できるので、移動通信網側における課金時間と略同等の課金時間の計測ができる。
【０００９】
また、本発明の移動端末では、データ通信接続確立手段は、該データ通信接続確立手段が移動通信網に対して送信したデータ通信接続要求に応じて該移動通信網から返信されたデータ通信接続応答を受信し、無線接続確立手段は、該無線接続確立手段が移動通信網に送信した無線接続確立要求に応じた該移動通信網からの無線接続確立応答を受信したときに、無線接続が確立された旨の通知である無線接続確立通知を該移動通信網に送信し、課金時間計測手段は、データ通信接続確立手段がデータ通信接続応答を受信した時をデータ通信接続確立時とし、無線接続確立手段が無線接続確立通知を送信した時を無線接続確立時とすることを特徴とする。
【００１０】
上記構成によれば、移動通信網側からのデータ通信接続応答を受信した時、または移動通信網側に無線接続確立通知を送信した時が、課金時間の計測の開始時とされる。従って、移動通信網側における課金の正確な開始時に近い時に計測が開始されるので、高精度に課金時間を計測できる。
【００１３】
また、本発明の移動端末では、データ通信接続切断手段は、移動通信網からのデータ通信接続の切断の要求であるデータ通信切断要求の受信、及び該データ通信切断要求に応答する通知であるデータ通信切断応答の移動通信網に対する送信をし、課金時間計測手段は、データ通信接続切断手段が、データ通信切断要求を受信した時、またはデータ通信切断応答を送信した時をデータ通信接続切断時とすることを特徴とする。
【００１４】
上記構成によれば、移動通信網側からデータ通信切断要求を受信した時が、課金時間の計測の終了時とされる。この場合には、移動通信網側において、移動端末からのデータ通信切断応答が受信できなかった場合であっても、移動端末において、移動通信網側における課金時間と略同等の課金時間の計測ができる。また、移動通信網側に対してデータ通信切断応答を送信した時が課金時間の計測の終了時とされる場合には、移動通信網側において、課金時間の計測が確実に終了するタイミングにおいて課金時間の計測を終了できるので、移動通信網側における課金時間と略同等の課金時間の計測ができる。
【００１５】
また、本発明の移動端末では、無線接続切断手段は、移動通信網からの無線接続の切断を要求する通知である無線接続切断要求の受信、及び該無線接続切断要求に応じて無線接続の切断制御を完了した旨の通知である無線接続切断応答の移動通信網への送信をし、課金時間計測手段は、無線接続切断手段が、無線接続切断要求を受信した時、または無線接続切断応答を送信した時を無線接続切断時とすることを特徴とする。
【００１６】
上記構成によれば、無線接続切断要求を受信した時が、課金時間の計測の終了時とされる。この場合には、移動通信網側において、移動端末からの無線接続切断応答が受信できなかった場合であっても、移動端末において、移動通信網側における課金時間と略同等の課金時間の計測ができる。また、無線接続切断応答を送信した時が課金時間の計測の終了時とされる場合には、移動通信網側において課金時間の計測が確実に終了するタイミングにおいて課金時間の計測を終了できるので、移動通信網側における課金時間と略同等の課金時間の計測ができる。
【００１７】
本発明の移動端末は、移動通信網を介してデータ通信を行う移動端末であって、移動通信網とのデータ通信を行うためのデータ通信接続の確立を制御するデータ通信接続確立手段と、データ通信接続の切断を制御するデータ通信接続切断手段と、移動通信網との無線接続の確立を制御する無線接続確立手段と、無線接続の切断を制御する無線接続切断手段と、データ通信に係る課金のための課金時間を記憶する課金時間記憶手段と、データ通信接続確立手段においてデータ通信接続が確立された時であるデータ通信接続確立時から、データ通信接続切断手段においてデータ通信接続が切断された時であるデータ通信接続切断時までの時間、または、無線接続確立手段において無線接続が確立された時である無線接続確立時から、無線接続切断手段において無線接続が切断された時である無線接続切断時までの時間を課金時間として課金時間記憶手段に記憶させる課金時間計測手段と、課金時間記憶手段を参照し、課金時間に関する情報を表示する表示手段と、移動通信網において計測された課金時間に関する課金時間情報を該移動通信網から受信する課金時間情報受信手段と、課金時間情報受信手段により受信された課金時間情報に基づき、課金時間記憶手段に記憶された課金時間を修正する課金時間修正手段と、を備えることを特徴とする。
また、本発明の課金時間計測方法は、移動通信網を介してデータ通信を行う移動端末における課金時間計測方法であって、移動通信網とのデータ通信を行うためのデータ通信接続の確立を制御するデータ通信接続確立ステップと、移動通信網との無線接続の確立を制御する無線接続確立ステップと、データ通信接続確立ステップにおいてデータ通信接続が確立された時であるデータ通信接続確立時、または無線接続確立ステップにおいて無線接続が確立された時である無線接続確立時にデータ通信に係る課金のための課金時間の計測を開始する課金時間計測開始ステップと、データ通信接続の切断を制御するデータ通信接続切断ステップと、無線接続の切断を制御する無線接続切断ステップと、データ通信接続切断ステップにおいてデータ通信接続が切断された時であるデータ通信接続切断時、または無線接続切断ステップにおいて無線接続が切断された時である無線接続切断時に課金時間の計測を終了する課金時間計測終了ステップと、課金時間計測開始ステップにおいて課金時間の計測が開始された時から、課金時間計測終了ステップにおいて課金時間の計測が終了された時までの時間を課金時間として記憶する課金時間記憶ステップと、課金時間記憶ステップにおいて記憶された課金時間に関する情報を表示する表示ステップと、移動通信網において計測された課金時間に関する課金時間情報を該移動通信網から受信する課金時間情報受信ステップと、課金時間情報受信ステップにおいて受信された課金時間情報に基づき、記憶された課金時間を修正する課金時間修正ステップと、を有することを特徴とする。
【００１８】
上記構成によれば、移動通信網側において計測された真の課金時間情報に基づき、移動端末における課金時間を修正できるので、移動端末において正確な課金時間に関する情報を認識できる。
【発明の効果】
【００１９】
ネットワークへの問い合わせを行うことなく、課金時間に関する情報を認識することが可能となる。
【図面の簡単な説明】
【００２０】
【図１】移動端末及びネットワークの機能的構成を示すブロック図である。
【図２】移動端末のハードブロック図である。
【図３】ＰＤＰコンテキストの確立に基づく課金時間の計測を示すタイミングチャートである。
【図４】課金時間記憶部に記憶された課金時間に関する情報の例を示す図である。
【図５】表示部に表示された課金時間に関する情報の表示例を示す図である。
【図６】ＲＲＣ接続の確立に基づく課金時間の計測を示すタイミングチャートである。
【図７】ＰＤＰコンテキストの確立時及び切断時に基づく課金時間の計測の例を示すタイミングチャートである。
【図８】ＰＤＰコンテキストの確立時及び切断時に基づく課金時間の計測の例を示すタイミングチャートである。
【図９】ＰＤＰコンテキストの確立時及び切断時に基づく課金時間の計測の例を示すタイミングチャートである。
【図１０】ＰＤＰコンテキストの確立時及び切断時に基づく課金時間の計測の例を示すタイミングチャートである。
【図１１】ＲＲＣ接続の確立時及び切断時に基づく課金時間の計測の例を示すタイミングチャートである。
【図１２】ＲＲＣ接続の確立時及び切断時に基づく課金時間の計測の例を示すタイミングチャートである。
【図１３】ネットワーク側からの課金時間に関する情報の受信及び課金時間の修正処理を示すタイミングチャートである。
【図１４】課金時間記憶部における課金時間に関する情報の修正の例を示す図である。
【図１５】課金時間に関する情報の修正時における表示例を示す図である。
【図１６】ネットワーク側からの課金時間に関する情報の受信及び課金時間の修正処理の例を示すタイミングチャートである。
【図１７】課金時間に関する情報の修正時における表示例を示す図である。
【図１８】課金時間記憶部における課金時間に関する情報の修正の例を示す図である。
【図１９】課金時間記憶部における課金時間に関する情報の修正の例を示す図である。
【図２０】移動端末からの問い合わせを契機とする課金時間に関する情報の修正処理の例を示すタイミングチャートである。
【発明を実施するための形態】
【００２１】
本発明に係る移動端末の実施形態について図面を参照して説明する。なお、可能な場合には、同一の部分には同一の符号を付して、重複する説明を省略する。
【００２２】
図１は、移動端末１及びネットワーク２の機能的構成を示すブロック図である。本実施形態の移動端末１は、いわゆる移動通信網を介してデータ通信を行う装置である。データ通信のためのセッションや無線接続が確立された時間の正確な値は、ネットワーク側において保持されるところ、プリペイド型の課金を採用するに際して、移動端末１において、実際に実施した通信に係る時間を把握したいといた要請がある。本実施形態の移動端末１は、ネットワーク２側への問い合わせのために無線及びネットワークリソースを使用することなく、課金の対象となる課金時間を取得する。そして、移動端末１は、課金時間に関する正確な情報をネットワーク２から取得した場合に、移動端末１において保持していた課金時間に関する情報を修正、更新する。
【００２３】
図１に示すように、移動端末１は、機能的には、ＰＤＰコンテキスト確立部１０（データ通信接続確立手段）、ＰＤＰコンテキスト切断部１１（データ通信接続切断手段）、ＲＲＣ接続確立部１２（無線接続確立手段）、ＲＲＣ接続切断部１３（無線接続切断手段）、課金時間計測部１４（課金時間計測手段）、課金時間記憶部１５（課金時間記憶手段）、表示部１６（表示手段）、課金時間情報受信部１７（課金時間情報受信手段）及び課金時間修正部１８（課金時間修正手段）を備える。
【００２４】
また、本実施形態のネットワーク２は、基地局等を含む移動通信網を形成し互いに通信網を介した通信が可能な装置群を指す。ネットワーク２は、機能的には、ＰＤＰコンテキスト制御部２０、ＲＲＣ接続制御部２１、課金時間情報記憶部２２及び課金時間情報通知部２３を含む。
【００２５】
図２は、移動端末１のハードウエア構成図である。移動端末１は、物理的には、図２に示すように、ＣＰＵ１０１、主記憶装置であるＲＡＭ１０２及びＲＯＭ１０３、データ送受信デバイスである通信モジュール１０４、ハードディスク、フラッシュメモリ等の補助記憶装置１０５、入力デバイスであるキーボード等の入力装置１０６、ディスプレイ等の出力装置１０７などを含むコンピュータシステムとして構成されている。図１に示した各機能は、図２に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。
【００２６】
移動端末１は、ネットワーク２とデータ通信（パケット通信）を実施するために、データ通信のセッションとしての、ＰＤＰ（Packet Data Protocol：パケットデータプロトコル）コンテキストの確立が必要である。ＰＤＰコンテキストの確立は、データ通信を行うための各ノードに保存された通信の情報（例えば、ＩＰ通信であれば接続先のＩＰアドレスやノード間での識別子情報など）を有効にすることである。これにより、データ通信接続が確立されることとなる。即ち、本実施形態において、「データ通信接続の確立」とは、ＰＤＰコンテキストを有効化することをいう。また、移動端末１は、ネットワーク２との無線通信を実施するために、無線接続としてのＲＲＣ（ＲａｄｉｏＲｅｓｏｕｒｃｅ Ｃｏｎｔｒｏｌ）接続の確立が必要である。再び、図１を参照し、移動端末１の各機能部について詳細に説明する。
【００２７】
ＰＤＰコンテキスト確立部１０は、ネットワーク２とのデータ通信を行うためのデータ通信接続の確立を制御する部分である。具体的には、ＰＤＰコンテキスト確立部１０は、ＰＤＰコンテキストの有効化のための処理を実施する。これにより移動端末１とネットワーク２との間におけるデータ通信のためのセッションが確立される。
【００２８】
ＰＤＰコンテキスト切断部１１は、データ通信接続の切断を制御する部分である。具体的には、ＰＤＰコンテキスト切断部１１は、ＰＤＰコンテキストの無効化のための処理を実施する。
【００２９】
ＲＲＣ接続確立部１２は、ネットワーク２との無線接続の確立を制御する部分である。具体的には、ＲＲＣ接続確立部１２は、ネットワーク２とのＲＲＣ接続を確立するための処理を実施する。
【００３０】
ＲＲＣ接続切断部１３は、無線接続の切断を制御する部分である。具体的には、ＲＲＣ接続切断部１３は、ネットワーク２とのＲＲＣ接続を切断するための処理を実施する。
【００３１】
課金時間計測部１４は、課金の対象となる課金時間を取得する。ＰＤＰコンテキスト確立に対して課金する場合、課金時間計測部１４は、ＰＤＰコンテキスト確立部１０においてデータ通信接続が確立された時であるデータ通信接続確立時から、ＰＤＰコンテキスト切断部１１においてデータ通信接続が切断された時であるデータ通信接続切断時までの時間を課金時間として課金時間記憶部１５に記憶させる。
【００３２】
また、課金時間計測部１４は、ＲＲＣ接続確立に対して課金する場合、ＲＲＣ接続確立部１２において無線接続が確立された時である無線接続確立時から、ＲＲＣ接続切断部１３において無線接続が切断された時である無線接続切断時までの時間を課金時間として課金時間記憶手段に記憶させる。
【００３３】
課金時間記憶部１５は、データ通信に係る課金のための課金時間を記憶する記憶手段である。課金に用いられる課金時間の正確な値は、ネットワーク２側において計測及び保持されるところ、課金時間計測部１４により課金時間記憶部１５に記憶される課金時間は、移動端末１側において計測したものである。
【００３４】
表示部１６は、課金時間記憶部１５を参照し、課金時間に関する情報を表示する。ここで表示される課金時間に関する情報は、例えば、データ通信接続または無線接続の開始時刻、終了時刻、接続が成されていた時間である使用時間といったものである。また、プリペイド課金における累積使用時間及び残時間といった情報を含むことができる。
【００３５】
課金時間情報受信部１７は、ネットワーク２において計測された課金時間に関する課金時間情報をネットワーク２から受信する部分である。課金時間修正部１８は、課金時間情報受信部１７により受信された課金時間情報に基づき、課金時間記憶部１５に記憶された課金時間を修正する部分である。ネットワーク２からの課金時間情報の受信及び課金時間情報に基づく課金時間の修正の処理の詳細は、後述する。
【００３６】
続いて、ネットワーク２の各機能部について説明する。ＰＤＰコンテキスト制御部２０は、移動端末１とのデータ通信におけるＰＤＰコンテキストの確立を制御する部分である。具体的には、ＰＤＰコンテキスト制御部２０は、移動端末１のＰＤＰコンテキスト確立部１０及びＰＤＰコンテキスト切断部１１との所定の通信処理により、ＰＤＰコンテキストの有効化及び無効化といった処理を実施する。また、ＰＤＰコンテキスト制御部２０は、ＰＤＰコンテキスト確立に対して課金する場合、ＰＤＰコンテキストが確立されていた時間に基づき、課金時間情報を課金時間情報記憶部２２に記憶させる。課金時間情報は、例えば、ＰＤＰコンテキストが有効化及び無効化された時刻、ＰＤＰコンテキストが確立されていた時間の長さである使用時間、プリペイド課金における累積使用時間及び残時間といった情報を含むことができる。
【００３７】
ＲＲＣ接続制御部２１は、移動端末１との無線接続の確立を制御する部分である。具体的には、ＲＲＣ接続制御部２１は、移動端末１のＲＲＣ接続確立部１２及びＲＲＣ接続切断部１３との所定の処理により、無線接続の確立及び切断といった処理を実施する。また、ＲＲＣ接続制御部２１は、ＲＲＣ接続確立に対して課金する場合、無線接続が確立されていた時間に基づき、課金時間情報を課金時間情報記憶部２２に記憶させる。ここで記憶される課金時間情報は、例えば、無線接続が確立及び切断された時刻、無線接続が確立されていた時間の長さである使用時間、プリペイド課金における累積使用時間及び残時間といった情報を含むことができる。
【００３８】
課金時間情報記憶部２２は、課金時間情報を記憶する記憶手段である。また、課金時間情報通知部２３は、課金時間情報記憶部２２に保持された課金時間情報を移動端末１に通知する部分である。なお、課金時間情報の通知に関わる処理の詳細については後述する。
【００３９】
次に、図３〜６を参照して、移動端末１における課金時間の計測、記憶及び表示について説明する。図３は、ＰＤＰコンテキストの確立に基づく課金時間の計測及び表示処理を示すタイミングチャートである。図４は、課金時間記憶部１５に記憶された課金時間に関する情報の例を示す図である。図５は、表示部１６に表示された課金時間に関する情報の表示例を示す図である。図６は、ＲＲＣ接続の確立に基づく課金時間の計測を示すタイミングチャートである。
【００４０】
図３に示すように、まずステップＳ３１（データ通信接続確立ステップ）において、移動端末１のＰＤＰコンテキスト確立部１０及びネットワーク２のＰＤＰコンテキスト制御部２０の間でＰＤＰコンテキストが確立されると、課金時間計測部１４は、課金時間のカウントを開始すると共に、開始時刻を課金時間記憶部１５に記憶させる（Ｓ３２、課金時間計測開始ステップ、課金時間記憶ステップ）。
【００４１】
続いて、ステップＳ３３（データ通信接続切断ステップ）において、移動端末１のＰＤＰコンテキスト切断部１１及びネットワーク２のＰＤＰコンテキスト制御部２０の間でＰＤＰコンテキストが切断されると、課金時間計測部１４は、課金時間のカウントを終了すると共に、終了時刻を課金時間記憶部１５に記憶させる（Ｓ３４、課金時間計測終了ステップ、課金時間記憶ステップ）。
【００４２】
図４に示すように、課金時間記憶部１５は、課金時間に関する情報として、終了時刻、開始時刻、使用時間、累積使用時間及び残時間を記憶している。終了時刻は、課金時間のカウントを終了した時刻である。開始時刻は、課金時間のカウントを開始した時刻である。使用時間は、開始時刻から終了時刻までの時間である。累積使用時間は、使用時間の累積値である。また、残時間は、予めデータ通信可能な使用時間が設定されるプリペイド型の従量課金における残された使用時間である。
【００４３】
なお、本実施形態では、課金時間記憶部１５は、課金時間に関する情報として、上記５項目を記憶しているが、少なくとも、累積使用時間及び残時間のいずれか１つ並びに終了時刻を記憶していればよい。また、累積使用時間及び残時間は、例えば課金時間計測部１４により算出される。
【００４４】
累積使用時間及び残時間は、プリペイド型の従量課金によるデータ通信の契約時（再契約時を含む）、またはチャージ時において、０時間及び契約で設定された所定時間もしくはチャージした時間にリセットされる。これらの時間は、ユーザによる手入力により設定されることができる。また、これらの時間は、オンライン契約に際して移動端末１が送信する契約情報、契約完了後に移動端末１に送信される契約完了通知から取得されることとしてもよい。
【００４５】
再び図３を参照して、ステップＳ３５（表示ステップ）において、表示部１６は、課金時間記憶部１５から課金時間に関する情報を取得して、取得した情報を表示する。ここで表示される情報は、少なくとも累積使用時間及び残時間のいずれかを含む。図５に示すように、表示部１６は、例えば、残時間に関する表示ｄ１を実施する。この表示は、例えば、ユーザのクリック操作を契機としてもよい。
【００４６】
また、表示部１６に表示された操作オブジェクトｄ３をクリック操作することにより、移動端末１は、課金時間に関する正確な値をネットワーク２から取得できる。この取得処理については後述する。
【００４７】
また、図６に示すように、移動端末１は、ＰＤＰコンテキストの確立に代えて、ＲＲＣ接続の確立に基づき課金時間を計測できる。まずステップＳ６１（無線接続確立ステップ）において、移動端末１のＲＲＣ接続確立部１２及びネットワーク２のＲＲＣ接続制御部２１の間でＲＲＣ接続が確立されると、課金時間計測部１４は、課金時間のカウントを開始すると共に、開始時刻を課金時間記憶部１５に記憶させる（Ｓ６２、課金時間計測開始ステップ、課金時間記憶ステップ）。
【００４８】
続いて、ステップＳ６３（無線接続切断ステップ）において、移動端末１のＲＲＣ接続切断部１３及びネットワーク２のＲＲＣ接続制御部２１の間でＲＲＣ接続が切断されると、課金時間計測部１４は、課金時間のカウントを終了すると共に、終了時刻を課金時間記憶部１５に記憶させる（Ｓ６４、課金時間計測終了ステップ、課金時間記憶ステップ）。
【００４９】
そして、ステップＳ６５（表示ステップ）において、表示部１６は、課金時間記憶部１５から課金時間に関する情報を取得して、累積使用時間または残時間を表示する。
【００５０】
続いて、図７〜１０を参照して、移動端末１における、ＰＤＰコンテキストの確立に基づく課金時間の計測及び表示処理を具体的に説明する。図７〜１０は、ＰＤＰコンテキストの確立時及び切断時に基づく課金時間の計測の例を示すタイミングチャートである。
【００５１】
図７に示すように、まず、ＰＤＰコンテキスト確立部１０は、ネットワーク２にＰＤＰコンテキスト確立要求（データ通信接続要求）を送信する（Ｓ７１）。続いて、ネットワーク２のＰＤＰコンテキスト制御部２０は、ＰＤＰコンテキスト確立要求に応じて、ＰＤＰコンテキスト確立応答（データ通信接続応答）を返信する。そして、ＰＤＰコンテキスト確立部１０は、ＰＤＰコンテキスト確立応答を受信する（Ｓ７２）。このように、ＰＤＰコンテキスト確立要求及びＰＤＰコンテキスト確立応答が移動端末１とネットワーク２との間で送受信されることにより、ＰＤＰコンテキストが確立される。
【００５２】
課金時間計測部１４は、ＰＤＰコンテキスト確立部１０がＰＤＰコンテキスト確立応答を受信した時をＰＤＰコンテキスト確立時（データ通信接続確立時）として、課金時間のカウントを開始すると共に、ＰＤＰコンテキスト確立時を課金時間の開始時刻として課金時間記憶部１５に記憶させる（Ｓ７３）。これにより、ネットワーク２側からのＰＤＰコンテキスト確立応答を受信した時が課金時間の計測の開始時とされる。従って、ネットワーク２側における正確な課金時間の計測開始時に近い時に計測が開始されるので、高精度に課金時間を計測できる。
【００５３】
次に、ＰＤＰコンテキスト切断部１１は、ネットワーク２にＰＤＰコンテキスト切断要求（データ通信切断要求）を送信する（Ｓ７４）。続いて、ネットワーク２のＰＤＰコンテキスト制御部２０は、ＰＤＰコンテキスト切断要求に応じて、ＰＤＰコンテキスト切断応答（データ通信切断応答）を返信する。そして、ＰＤＰコンテキスト切断部１１は、ＰＤＰコンテキスト切断応答を受信する（Ｓ７５）。このように、ＰＤＰコンテキスト切断要求及びＰＤＰコンテキスト切断応答が移動端末１とネットワーク２との間で送受信されることにより、ＰＤＰコンテキストが切断（無効化）される。
【００５４】
課金時間計測部１４は、ＰＤＰコンテキスト切断部１１がＰＤＰコンテキスト切断応答を受信した時をＰＤＰコンテキスト切断時（データ通信接続切断時）として、課金時間のカウントを終了すると共に、ＰＤＰコンテキスト切断時を課金時間の終了時刻として課金時間記憶部１５に記憶させる（Ｓ７６）。これにより、移動端末１は、ネットワーク２側において課金時間の計測が確実に終了した後に課金時間の計測を終了できるので、ネットワーク２側における課金時間と略同等の課金時間の計測ができる。なお、課金時間記憶部１５における使用時間、累積使用時間及び残時間は、必要に応じて、課金時間計測部１４により算出される。
【００５５】
次に、表示部１６は、課金時間記憶部１５から課金時間に関する情報を取得して、累積使用時間及び残時間のいずれか一方又は両方を表示する（Ｓ７７）。また、課金時間計測部１４は、累積使用時間及び残時間のいずれか一方又は両方を課金時間記憶部１５に記憶させる。（Ｓ７８）。なお、ステップＳ７７及びステップＳ７８に示される処理は、どちらが先に実施されてもよいし、同時に実施されてもよい。累積使用時間及び残時間の記録及び表示の処理順が順不同である点については、以降に説明するバリエーションにおいても同様である。更に、Ｓ７７はユーザ契機で実施されてもよい。すなわち、残時間表示のメニュー等が表示されており、ユーザがそれを実施することで表示されてもよい。またこのような残時間表示メニューは、使用後に表示するよう、ユーザが設定できるようになっていてもよい。
【００５６】
次に、図８を参照して、移動端末１における、ＰＤＰコンテキストの確立時及び切断時に基づく課金時間の計測の他の例を説明する。図８に示すように、まず、ＰＤＰコンテキスト確立部１０は、ネットワーク２にＰＤＰコンテキスト確立要求を送信する（Ｓ８１）。続いて、ＰＤＰコンテキスト確立部１０は、ＰＤＰコンテキスト確立要求に応じてＰＤＰコンテキスト制御部２０から返信されたＰＤＰコンテキスト確立応答を受信する（Ｓ８２）。これにより、ＰＤＰコンテキストが確立される。そして、課金時間計測部１４は、ＰＤＰコンテキスト確立部１０がＰＤＰコンテキスト確立応答を受信した時をＰＤＰコンテキスト確立時として、課金時間のカウントを開始すると共に、ＰＤＰコンテキスト確立時を課金時間の開始時刻として課金時間記憶部１５に記憶させる（Ｓ８３）。
【００５７】
次に、ＰＤＰコンテキスト切断部１１は、ネットワーク２にＰＤＰコンテキスト切断要求を送信する（Ｓ８４）。続いて、課金時間計測部１４は、ＰＤＰコンテキスト切断部１１がＰＤＰコンテキスト切断要求を送信した時をＰＤＰコンテキスト切断時として、課金時間のカウントを終了すると共に、ＰＤＰコンテキスト切断時を課金時間の終了時刻として課金時間記憶部１５に記憶させる（Ｓ８５）。これにより、何らかの原因によりＰＤＰコンテキスト切断応答をネットワーク２から受信できなかった場合であっても、ネットワーク２側における課金時間と略同等の課金時間の計測ができる。
【００５８】
続いて、ＰＤＰコンテキスト切断部１１は、ＰＤＰコンテキスト切断要求に応じて返信されたＰＤＰコンテキスト切断応答を受信する（Ｓ８６）
【００５９】
そして、表示部１６は、課金時間記憶部１５から課金時間に関する情報を取得して、累積使用時間及び残時間のいずれか一方又は両方を表示する（Ｓ８７）。また、課金時間計測部１４は、累積使用時間及び残時間のいずれか一方又は両方を課金時間記憶部１５に記憶させる。（Ｓ８８）。
【００６０】
次に、図９を参照して、移動端末１における、ＰＤＰコンテキストの確立時及び切断時に基づく課金時間の計測の他の例を説明する。図９及び後に説明する図１０に示す例では、ネットワーク２からのＰＤＰコンテキスト切断要求がＰＤＰコンテキスト切断の契機とされ、ＰＤＰコンテキスト切断応答が移動端末１からネットワーク２に送信されることにより、ＰＤＰコンテキストが切断（無効化）される。
【００６１】
ステップＳ９１〜Ｓ９３の処理は、図７及び図８に示す例と同様であるので、説明を省略する。次に、ＰＤＰコンテキスト切断部１１は、ネットワーク２のＰＤＰコンテキスト制御部２０から送信されたＰＤＰコンテキスト切断要求を受信する（Ｓ９４）。
【００６２】
ＰＤＰコンテキスト切断部１１は、ＰＤＰコンテキスト切断要求に応じて、ＰＤＰコンテキスト切断応答をネットワーク２に送信する（Ｓ９５）。続いて、課金時間計測部１４は、ＰＤＰコンテキスト切断部１１がＰＤＰコンテキスト切断応答を送信した時をＰＤＰコンテキスト切断時として、課金時間のカウントを終了すると共に、ＰＤＰコンテキスト切断時を課金時間の終了時刻として課金時間記憶部１５に記憶させる（Ｓ９６）。これにより、移動端末１は、ネットワーク２側において、課金時間の計測が確実に終了するタイミングにおいて課金時間の計測を終了できるので、ネットワーク２側における課金時間と略同等の課金時間の計測ができる。
【００６３】
そして、表示部１６は、課金時間記憶部１５から課金時間に関する情報を取得して、累積使用時間及び残時間のいずれか一方又は両方を表示する（Ｓ９７）。また、課金時間計測部１４は、累積使用時間及び残時間のいずれか一方又は両方を課金時間記憶部１５に記憶させる。（Ｓ９８）。
【００６４】
次に、図１０を参照して、移動端末１における、ＰＤＰコンテキストの確立時及び切断時に基づく課金時間の計測の他の例を説明する。ステップＳ１０１〜Ｓ１０３の処理は、図７〜９に示す例と同様であるので、説明を省略する。次に、ＰＤＰコンテキスト切断部１１は、ネットワーク２のＰＤＰコンテキスト制御部２０から送信されたＰＤＰコンテキスト切断要求を受信する（Ｓ１０４）。
【００６５】
続いて、課金時間計測部１４は、ＰＤＰコンテキスト切断部１１がＰＤＰコンテキスト切断要求を受信した時をＰＤＰコンテキスト切断時として、課金時間のカウントを終了すると共に、ＰＤＰコンテキスト切断時を課金時間の終了時刻として課金時間記憶部１５に記憶させる（Ｓ１０５）。これにより、ネットワーク２側において、移動端末１からのＰＤＰコンテキスト切断応答が受信できなかった場合であっても、移動端末１において、ネットワーク２側において計測される課金時間と略同等の課金時間の計測ができる。
【００６６】
続いて、ＰＤＰコンテキスト切断部１１は、ＰＤＰコンテキスト切断要求に応じて、ＰＤＰコンテキスト切断応答をネットワーク２に送信する（Ｓ１０６）。そして、表示部１６は、課金時間記憶部１５から課金時間に関する情報を取得して、累積使用時間及び残時間のいずれか一方又は両方を表示する（Ｓ１０７）。また、課金時間計測部１４は、累積使用時間及び残時間のいずれか一方又は両方を課金時間記憶部１５に記憶させる。（Ｓ１０８）。
【００６７】
続いて、図１１〜１２を参照して、移動端末１における、ＲＲＣ接続の確立に基づく課金時間の計測及び表示処理を具体的に説明する。図１１〜１２は、ＲＲＣ接続の確立時及び切断時に基づく課金時間の計測の例を示すタイミングチャートである。
【００６８】
図１１に示すように、まず、ＲＲＣ接続確立部１２は、ネットワーク２にＲＲＣ接続確立要求（無線接続確立要求）を送信する（Ｓ１１１）。続いて、ネットワーク２のＲＲＣ接続制御部２１は、ＲＲＣ接続確立要求に応じて、ＲＲＣ接続確立応答（無線接続確立応答）を返信する。そして、ＲＲＣ接続確立部１２は、ＲＲＣ接続確立応答を受信する（Ｓ１１２）。さらに、ＲＲＣ接続確立部１２は、ＲＲＣ接続確立応答を受信すると、ＲＲＣ接続確立通知（無線接続確立通知）をネットワーク２に送信する。かかるステップＳ１１１〜Ｓ１１３の３ステップの処理により、ＲＲＣ接続が確立される。
【００６９】
課金時間計測部１４は、ＲＲＣ接続確立部１２がＲＲＣ接続確立通知を送信した時をＲＲＣ接続確立時（無線接続確立時）として、課金時間のカウントを開始すると共に、ＲＲＣ接続確立時を課金時間の開始時刻として課金時間記憶部１５に記憶させる（Ｓ１１４）。これにより、ネットワーク２側における正確な課金時間の計測開始時に近い時に計測が開始されるので、高精度に課金時間を計測できる。
【００７０】
次に、ＲＲＣ接続切断部１３は、ネットワーク２からのＲＲＣ接続の切断を要求する通知であるＲＲＣ接続切断要求（無線接続切断要求）を受信する（Ｓ１１５）。続いて、ＲＲＣ接続切断部１３は、ＲＲＣ接続切断要求に応じて、ＲＲＣ接続切断応答（無線接続切断応答）をネットワーク２に返信する（Ｓ１１６）。このように、ＲＲＣ接続切断要求及びＲＲＣ接続切断応答が移動端末１とネットワーク２との間で送受信されることにより、ＲＲＣ接続が切断される。
【００７１】
課金時間計測部１４は、ＲＲＣ接続切断部１３がＲＲＣ接続切断応答を送信した時をＲＲＣ接続切断時（無線接続切断時）として、課金時間のカウントを終了すると共に、ＲＲＣ接続切断時を課金時間の終了時刻として課金時間記憶部１５に記憶させる（Ｓ１１７）。これにより、移動端末１は、ネットワーク２側において課金時間の計測が確実に終了するタイミングに課金時間の計測を終了できるので、ネットワーク２側における課金時間と略同等の課金時間の計測ができる。
【００７２】
次に、表示部１６は、課金時間記憶部１５から課金時間に関する情報を取得して、累積使用時間及び残時間のいずれか一方又は両方を表示する（Ｓ１１８）。また、課金時間計測部１４は、累積使用時間及び残時間のいずれか一方又は両方を課金時間記憶部１５に記憶させる。（Ｓ１１９）。
【００７３】
次に、図１２を参照して、移動端末１における、ＲＲＣ接続の確立に基づく課金時間の計測及び表示処理の他の例を説明する。ステップＳ１２１〜Ｓ１２４の処理は、図１１に示すステップＳ１１１〜Ｓ１１４と同様であるので、説明を省略する。
【００７４】
次に、ＲＲＣ接続切断部１３は、ネットワーク２からのＲＲＣ接続の切断を要求する通知であるＲＲＣ接続切断要求を受信する（Ｓ１２５）。課金時間計測部１４は、ＲＲＣ接続切断部１３がＲＲＣ接続切断要求を受信した時をＲＲＣ接続切断時として、課金時間のカウントを終了すると共に、ＲＲＣ接続切断時を課金時間の終了時刻として課金時間記憶部１５に記憶させる（Ｓ１２６）。これにより、ネットワーク２側において、移動端末１からのＲＲＣ接続切断応答が受信できなかった場合であっても、移動端末１において、ネットワーク２側における課金時間と略同等の課金時間の計測ができる。
【００７５】
続いて、ＲＲＣ接続切断部１３は、ＲＲＣ接続切断要求に応じて、ＲＲＣ接続切断応答をネットワーク２に返信する（Ｓ１２７）。次に、表示部１６は、課金時間記憶部１５から課金時間に関する情報を取得して、累積使用時間及び残時間のいずれか一方又は両方を表示する（Ｓ１２８）。また、課金時間計測部１４は、累積使用時間及び残時間のいずれか一方又は両方を課金時間記憶部１５に記憶させる。（Ｓ１２９）。
【００７６】
次に、図１３〜２１を参照して、ネットワーク２側において取得された正確な課金時間情報に基づく、課金時間に関する情報の修正及び追加処理について説明する。ネットワーク２では、移動端末１とのデータ通信に係る課金時間に関する情報が課金時間情報記憶部２２に記憶されており、ネットワーク２は、所定の通知方法により、プリペイド課金における累積使用時間及び残時間といった情報を移動端末１に通知する。
【００７７】
図１３は、ネットワーク２側からの課金時間に関する情報の受信及び課金時間の修正処理を示すタイミングチャートである。図１３に示すように、ステップＳ１３１において、課金時間情報通知部２３は、課金時間情報記憶部２２を参照して、少なくともプリペイド課金における累積使用時間及び残時間のいずれかを含む課金時間情報を取得し、取得した課金時間情報を移動端末１に通知する。この通知は、所定の契機に実施される。この所定の契機は、例えば、予め設定された所定の時刻であってもよいし、残時間が所定の時間以下になったときであってもよい。また、通知のための方法は、移動端末１に対する情報の通知が可能であればいかなる方法であってもよく、例えば、ＳＭＳ（Short Message Service）、メールにより実施される。
【００７８】
ステップＳ１３２において、課金時間情報受信部１７は、ネットワーク２から通知された課金時間情報を受信する。そして、ステップＳ１３３において、課金時間修正部１８は、課金時間情報受信部１７により受信された課金時間情報に基づき、課金時間記憶部１５に課金時間に関する情報を追加して記憶させる。図１４は、課金時間記憶部１５における課金時間に関する情報の追加の例を示す図である。図１４に示す例では、課金時間修正部１８は、レコードＲ１を追加する修正を実施している。追加されたレコードＲ１における終了時刻は、例えば、ステップＳ１３２において通知を受信した時刻である。また、レコードＲ１における累積使用時間及び残時間は、そのいずれか一方がネットワーク２からの通知に含まれており、他方が課金時間修正部１８により計算されることとしてもよい。
【００７９】
図１５は、課金時間に関する情報の追加時における表示例を示す図である。図１５に示すように、表示部１６は、ネットワーク２からの通知の受信時刻を表示ｄ４として表示し、残時間を表示ｄ５として表示する。なお、残時間に代えて、累積使用時間が表示されることとしてもよい。
【００８０】
図１６は、ネットワーク２側からの課金時間に関する情報の受信及び課金時間の修正処理の他の例を示すタイミングチャートである。図１７は、課金時間に関する情報の受信時における表示例を示す図である。図１６に示すように、ステップＳ１６１において、課金時間情報通知部２３は、課金時間情報を移動端末１に通知する。そして、ステップＳ１６２において、課金時間情報受信部１７は、ネットワーク２から通知された課金時間情報を受信する。図１６に示す例では、課金時間情報は、ネットワーク２において、例えば０時といった所定の集計時刻に集計された累積使用時間及び残時間の少なくとも一方を含むこととする。
【００８１】
続くステップＳ１６３において、表示部１６は、図１７に示すように、ネットワーク２からの通知の受信時刻を表示ｄ６として表示し、残時間を表示ｄ７として表示する。
【００８２】
次に、ステップＳ１６４において、課金時間修正部１８は、ステップＳ１６２において受信した通知に含まれる残時間又は累積使用時間の集計時刻が、課金時間記憶部１５に記憶されていた課金時間に関する情報の最終の終了時刻よりも後であるか否かを判定する。集計時刻が課金時間記憶部１５に記憶されていた課金時間に関する情報の最終の終了時刻よりも後であると判定された場合には、処理手順は、ステップＳ１６５に進められる。一方、集計時刻が課金時間記憶部１５に記憶されていた課金時間に関する情報の最終の終了時刻よりも後であると判定されなかった場合には、処理手順は、ステップＳ１６６に進められる。
【００８３】
ステップＳ１６５において、課金時間修正部１８は、課金時間情報受信部１７により受信された課金時間情報に基づき、課金時間記憶部１５に課金時間に関する情報を追加して記憶させる。ここで追加される課金時間に関する情報は、図１４に示すレコードＲ１と同様である。
【００８４】
一方、ステップＳ１６６において、課金時間修正部１８は、課金時間情報受信部１７により受信された課金時間情報に基づき、課金時間記憶部１５の課金時間に関する情報を修正及び追加する。図１８及び図１９は、課金時間記憶部における課金時間に関する情報の追加及び修正の例を示す図である。図１８及び図１９に示す例では、移動端末１は、ネットワーク２における累積使用時間等の集計時刻より後に終了するデータ通信を実施している。また、ネットワーク２からの課金時間情報の受信の時刻は、当該データ通信の終了時刻より後である。このため、課金時間修正部１８は、ネットワーク２からの課金時間情報の集計時刻に係る課金時間に関する情報を追加すると共に、課金時間情報の受信時刻に係る課金時間に関する情報を追加する。
【００８５】
図１８に示す例では、課金時間修正部１８は、ネットワーク２において所定の集計時刻である０時に集計された累積使用時間及び残時間を含むレコードＲ２を、課金時間記憶部１５の課金時間に関する情報として追加する。また、課金時間修正部１８は、ネットワーク２からの課金時間情報を受信した時刻（２０１２．１１．３０  ０２時００分００秒）における課金時間のレコードＲ３を追加する。課金時間修正部１８は、課金時間記憶部１５に記憶されていたレコードＲ４の使用時間のデータｒ４１及びレコードＲ２の累積使用時間及び残時間のデータｒ２１を用いて、レコードＲ３における累積使用時間及び残時間のデータｒ３１を算出する。
【００８６】
また、図１９に示す例では、課金時間修正部１８は、ネットワーク２において所定の集計時刻である０時に集計された累積使用時間及び残時間を含むレコードＲ５を、課金時間記憶部１５の課金時間に関する情報として追加する。また、課金時間修正部１８は、ネットワーク２からの課金時間情報を受信した時刻（２０１２．１１．３０  ０２時００分００秒）における課金時間のレコードＲ６を追加する。課金時間修正部１８は、課金時間記憶部１５に記憶されていたレコードＲ７の使用時間のデータｒ７１及びレコードＲ５の累積使用時間及び残時間のデータｒ５１を用いて、レコードＲ６における累積使用時間及び残時間のデータｒ６１を算出する。さらに、課金時間修正部１８は、レコードＲ６における累積使用時間及び残時間のデータｒ６１を用いて、レコードＲ７における累積使用時間及び残時間のデータｒ７２を修正する。
【００８７】
以上、図１３〜図１９を参照して説明したネットワーク２側において取得された正確な課金時間情報に基づく課金時間に関する情報の修正及び追加処理によれば、ネットワーク２側において計測された真の課金時間の情報に基づき、移動端末１における課金時間を修正できるので、移動端末１において正確な課金時間に関する情報を認識できる。
【００８８】
続いて、図２０を参照して、移動端末１からの問い合わせを契機とする、残時間確認のための課金時間に関する情報の修正処理の例を説明する。図１３及び図１６に示したタイミングチャートでは、ネットワーク２からのＳＭＳ及びメールといった通知を契機として、課金時間に関する情報の修正及び追加が実施される。これに対して、図２０に示すタイミングチャートでは、移動端末１からのネットワーク２に対する問い合わせを契機として、課金時間に関する情報の修正及び追加が実施される。移動端末１からの問い合わせは、例えば、ネットワーク２に対する通知依頼の送信、課金時間情報の通知依頼または課金時間情報の参照のためのサイトへのアクセスといった方法が例示される。そのサイトは、例えば、ネットワーク２側において開設される。
【００８９】
図２０に示すように、ステップＳ２０１において、課金時間情報受信部１７は、残時間確認のための課金時間情報の通知依頼又は課金時間情報の参照のためのサイトへのアクセスといった問い合わせをネットワーク２に対して実施する。続くステップＳ２０２において、課金時間情報通知部２３は、課金時間情報を移動端末１に通知する。課金時間情報は、少なくともプリペイド課金における累積使用時間及び残時間のいずれかを含む。
【００９０】
そして、表示部１６は、受信した課金時間情報に基づき、残時間及び累積使用時間の少なくともいずれか一方を表示する（Ｓ２０３）と共に、課金時間修正部１８は、課金時間情報に基づき、課金時間記憶部１５に課金時間に関する情報を追加して記憶させる（Ｓ２０４）。ステップＳ２０３及びステップＳ２０４の処理は、いずれが先に実施されてもよいし、同時に実施されてもよい。なお、ステップＳ２０３における表示は、例えば、図１５に示す表示例と同様である。また、ステップＳ２０４における課金時間に関する情報の追加は、例えば、図１４に示す課金時間記憶部１５における課金時間に関する情報の追加の例と同様である。
【００９１】
以上説明した本実施形態の移動端末１及び課金時間計測方法によれば、データ通信接続が確立された時から切断されるまでの時間が課金時間として計測されるので、当該移動端末１がネットワーク２におけるネットワークリソースを利用している時間が課金時間として計測される。また、この移動端末１によれば、無線接続が確立された時から切断されるまでの時間が課金時間として計測されることとしてもよい。この場合には、実際にデータの送受信が実施されている時間が課金時間として計測されることとなる。そして、上記のように計測された課金時間に関する情報が移動端末１において記憶及び表示されるので、基地局等を含むネットワーク２への問い合わせを実施することなく、移動端末１において課金時間に関する情報を認識可能となる。
【００９２】
以上、本発明をその実施形態に基づいて詳細に説明した。しかし、本発明は上記実施形態に限定されるものではない。本発明は、その要旨を逸脱しない範囲で様々な変形が可能である。
【００９３】
なお、本実施形態の移動端末１は、課金時間の計測のための機能部１０〜１６及び課金時間に関する情報の追加・修正のための機能部１７，１８を備えることとしたが、課金時間に関する情報の追加・修正のための機能部１７，１８は、本発明において必須の構成ではない。
【符号の説明】
【００９４】
１…移動端末、２…ネットワーク、１０…ＰＤＰコンテキスト確立部、１１…ＰＤＰコンテキスト切断部、１２…ＲＲＣ接続確立部、１３…ＲＲＣ接続切断部、１４…課金時間計測部、１５…課金時間記憶部、１６…表示部、１７…課金時間情報受信部、１８…課金時間修正部、２０…ＰＤＰコンテキスト制御部、２１…ＲＲＣ接続制御部、２２…課金時間情報記憶部、２３…課金時間情報通知部。
【図１】
0005548609.tif 000002
【図２】
0005548609.tif 000003
【図３】
0005548609.tif 000004
【図４】
0005548609.tif 000005
【図５】
0005548609.tif 000006
【図６】
0005548609.tif 000007
【図７】
0005548609.tif 000008
【図８】
0005548609.tif 000009
【図９】
0005548609.tif 000010
【図１０】
0005548609.tif 000011
【図１１】
0005548609.tif 000012
【図１２】
0005548609.tif 000013
【図１３】
0005548609.tif 000014
【図１４】
0005548609.tif 000015
【図１５】
0005548609.tif 000016
【図１６】
0005548609.tif 000017
【図１７】
0005548609.tif 000018
【図１８】
0005548609.tif 000019
【図１９】
0005548609.tif 000020
【図２０】
0005548609.tif 000021